(57)【要約】      （修正有）【課題】デザイン性に優れ、軽量且つ外観を変更可能な度付きサングラスを提供する。【解決手段】左右一対のテンプル７に連結されたフレーム２と、フレーム２に対して着脱自在に取り付けられ、内側に開口部３０が形成された可撓性のサングラスレンズ３と、サングラスレンズ３の開口部３０に嵌着された度付きレンズ４とを備える。【選択図】図１  
0003118062.tif 000002
【実用新案登録請求の範囲】
【請求項１】
左右一対のテンプルに連結されたフレームと、
前記フレームに対して着脱自在に取り付けられ、内側に開口部が形成された可撓性のサングラスレンズと、
前記サングラスレンズの開口部に嵌着された度付きレンズとを備えることを特徴とする度付きサングラス。
【請求項２】
前記度付きレンズの外周縁及び前記開口部の内周縁の何れか一方に凸部が設けられると共に、
前記度付きレンズの外周縁及び前記開口部の内周縁の何れか他方に前記凸部と嵌合する凹部が設けられていることを特徴とする請求項１に記載の度付きサングラス。
【請求項３】
前記凸部は、前記度付きレンズの外周縁及び前記開口部の内周縁の何れか一方に部分的に設けられ、及び／又は、
前記凹部は、前記度付きレンズの外周縁及び前記開口部の内周縁の何れか他方に部分的に設けられていることを特徴とする請求項２に記載の度付きサングラス。
【請求項４】
前記サングラスレンズは、内側にそれぞれ開口部が形成された左右一対のリム部と、該左右一対のリム部を連結し該左右一対のリム部と一体的に形成されたブリッジ部とを備え、
前記左右一対のリム部及び前記ブリッジ部は、前記フレームに対して一体として着脱自在であることを特徴とする請求項１から３の何れかに記載の度付きサングラス。
【請求項５】
前記サングラスレンズは、内側にそれぞれ開口部が形成された左右一対のリム部を備え、
前記左右一対のリム部は、前記フレームに対して互いに独立して着脱自在とされていることを特徴とする請求項１から３の何れかに記載の度付きサングラス。
【考案の詳細な説明】
【技術分野】
【０００１】
本考案は、デザイン性に優れ、軽量且つ外観を変更可能な度付きサングラスに関する。
【背景技術】
【０００２】
近年、デザイン性に優れたサングラスのニーズが高まっており、例えば、顔面の形状に沿うように前方に向けて大きな曲率で湾曲したサングラス等、デザイン性に優れた各種のサングラスが市販されている。また、近年、常時度付き眼鏡を使用している近眼者や老眼者が、度付き眼鏡を使用したままサングラスを使用できるように、度付き眼鏡と重ね合わせることが可能なサングラスが市販されている。しかし、サングラスを度付き眼鏡に重ね合わせると、サングラス及び度付き眼鏡のデザイン性が損なわれ、さらに、眼鏡全体としての重量が増加し、使用者に不快感や疲労感を与えるという問題がある。
【０００３】
そこで、このような問題を解決することを目的として、特許文献１に記載のサングラスや、特許文献２に記載の眼鏡が提案されている。これらの公報に記載のサングラスや眼鏡は、内側に開口部が形成された度無しのサングラスレンズがフレームに固定されており、このサングラスレンズの開口部に度付きレンズが嵌着されて構成されている。このようなサングラス及び眼鏡は、使用者が、サングラスレンズを通して物体を見ることで、サングラスとして使用でき、度付きレンズを通して物体を見ることで、度付き眼鏡として使用することができる。
【特許文献１】登録実用新案第３００８９４９号公報
【特許文献２】登録実用新案第３０４４５３４号公報
【考案の開示】
【考案が解決しようとする課題】
【０００４】
しかし、上記文献記載のサングラスや眼鏡は、サングラスレンズがフレームに固定されているため、サングラスレンズを取り替えて、使用者の好みやＴＰＯ（時（Time）、所（Place）、場所（Occasion））に応じた外観に変更することができないという問題がある。
【０００５】
本考案は、斯かる従来技術の問題点を解決するべくなされたものであり、デザイン性に優れ、軽量且つ外観を変更可能な度付きサングラスを提供することを課題とする。
【課題を解決するための手段】
【０００６】
前記課題を解決するべく、本考案は、実用新案登録請求の範囲の請求項１に記載の如く、左右一対のテンプルに連結されたフレームと、前記フレームに対して着脱自在に取り付けられ、内側に開口部が形成された可撓性のサングラスレンズと、前記サングラスレンズの開口部に嵌着された度付きレンズとを備えることを特徴とする度付きサングラスを提供するものである。
【０００７】
本考案の度付きサングラスは、サングラスレンズの開口部に度付きレンズが嵌着される構成となっているために、サングラスレンズと度付きレンズとを重ね合わせる必要が無く、そのため、サングラスと度付き眼鏡とを重ね合わせることでデザイン性が損なわれるという問題を回避することが可能である。また、このような重ね合わせの必要が無いので、重ね合わせによる重量の増加も回避することが可能である。さらに、本考案の度付きサングラスは、サングラスレンズがフレームに対して着脱自在に取り付けられているため、サングラスレンズを取り替えることで、外観を変更することも可能である。
【０００８】
サングラスレンズの開口部に度付きレンズを嵌着させるための具体的構成としては、実用新案登録請求の範囲の請求項２の如く、前記度付きレンズの外周縁及び前記開口部の内周縁の何れか一方に凸部が設けられると共に、前記度付きレンズの外周縁及び前記開口部の内周縁の何れか他方に前記凸部と嵌合する凹部が設けられた構成を採用することが可能である。
【０００９】
斯かる構成によれば、凸部と凹部とを嵌合させることにより、度付きレンズを開口部に確実に嵌着させることができる。
【００１０】
好ましくは、実用新案登録請求の範囲の請求項３の如く、前記凸部は、前記度付きレンズの外周縁及び前記開口部の内周縁の何れか一方に部分的に設けられ、及び／又は、前記凹部は、前記度付きレンズの外周縁及び前記開口部の内周縁の何れか他方に部分的に設けられている構成とすることができる。
【００１１】
斯かる好ましい構成によれば、凹部と凸部とが部分的に設けられているので、サングラスレンズの内周縁の一部分と度付きレンズの外周縁の一部分とが嵌合することになる。このように、一部分のみが嵌合する構成とすると、全体が嵌合する構成に比べて、局所的に高い応力が度付きレンズに発生し難い。よって、斯かる好ましい構成によれば、局所的に高い応力によって度付きレンズが欠けたり、割れたりすることを防ぐことができる。
【００１２】
また、サングラスレンズの具体的構成として、実用新案登録請求の範囲の請求項４の如く、前記サングラスレンズは、内側にそれぞれ開口部が形成された左右一対のリム部と、該左右一対のリム部を連結し該左右一対のリム部と一体的に形成されたブリッジ部とを備え、前記左右一対のリム部及び前記ブリッジ部は、前記フレームに対して一体として着脱自在である構成を採用することが可能である。
【００１３】
斯かる構成によれば、リム部とブリッジ部とが一体として着脱自在であるので、サングラスレンズの着脱を容易に行うことができる。
【００１４】
また、サングラスレンズの他の具体的構成として、実用新案登録請求の範囲の請求項５の如く、前記サングラスレンズは、内側にそれぞれ開口部が形成された左右一対のリム部を備え、前記左右一対のリム部は、前記フレームに対して互いに独立して着脱自在である構成としてもよい。    
【００１５】
斯かる構成によれば、左右一対のリム部が独立して着脱自在であるので、それぞれのリム部を独立して取り替えることが可能である。従って、例えば、左右のリム部の色や形状の組み合わせを自由に変更することができ、度付きサングラスの外観の細かい変更も可能となる。
【考案の効果】
【００１６】
本考案の度付きサングラスは、サングラスレンズの開口部に度付き眼鏡が嵌着される構成となっているため、サングラスレンズと度付きレンズとを重ね合わせる必要が無く、通常のサングラスと同等の優れたデザイン性を備えることが可能である。また、サングラスレンズと度付きレンズとを重ね合わせる必要が無いため、重量が増加するという問題も回避でき、軽量化を図ることが可能である。さらに、サングラスレンズがフレームに対して着脱自在に取り付けられているため、サングラスレンズを取り替えることで、外観を変更することも可能である。
【考案を実施するための最良の形態】
【００１７】
（実施形態１）
以下、添付図面を参照しつつ、本考案の一実施形態に係る度付きサングラス１について説明する。図１（ａ）は、度付きサングラス１の正面図であり、度付きレンズ４が嵌着されたサングラスレンズ３がフレーム２（図１（ｂ）参照）に装着された状態を示し、図１（ｂ）は、その平面図である。
【００１８】
度付きサングラス１は、左右一対のテンプル７に連結されたフレーム２と、フレーム２に対して着脱自在に取り付けられ、内側に開口部が形成された可撓性のサングラスレンズ３と、サングラスレンズ３の開口部に嵌着された度付きレンズ４とを備えている。
【００１９】
サングラスレンズ３は、図１（ｂ）に示すように、顔面の形状に沿うように前方（図１（ｂ）における矢印Ｘ方向）に向けて所定の曲率で湾曲した薄板状に形成されている。サングラスレンズ３の材質は、特に限定されるものでないが、例えばポリカーボネートなどの可撓性を有する材料を使用することができる。
【００２０】
図２（ａ）は、サングラスレンズ３の正面図であり、図２（ｂ）は、図２（ａ）のＡ―Ａ断面図である。サングラスレンズ３は、内側にそれぞれ開口部３０が形成された左右一対のリム部３１と、該左右一対のリム部３１を連結し、該左右一対のリム部３１と一体的に形成されたブリッジ部３２とを備え、左右一対のリム部３１及びブリッジ部３２は、フレーム２に対して一体として着脱自在な構成となっている。各リム部３１の開口部３０の内周縁３０ａには、内周縁３０ａに沿って形成された凸部３０ｂが設けられている。凸部３０ｂは、内周縁３０ａの全周に設けられていても、また、部分的に設けられていてもよい。本実施形態では、凸部３０ｂは、図２（ａ）に示すように、内周縁３０ａの上下左右の４箇所に別れて部分的に設けられている。なお、凸部３０ｂを部分的に設ける場合において、凸部３０ｂが設けられる内周縁３０ａの位置は、特に限定されるものでなく、例えば、内周縁３０ａの上下或いは左右の２箇所などであってもよい。
【００２１】
さらに、本実施形態に係るサングラスレンズ３は、フレーム２に装着される装着部を備えている。装着部は、フレーム２と磁着する磁着部３３とフレーム２と係合する係合部３４とで構成されている。磁着部３３は、サングラスレンズ３に穿孔された孔に、磁石又はステンレスなどの磁性体材料を嵌め込むことによって形成されている。この磁石や磁性体材料は、サングラスレンズ３の前面及び後面の両面に露出している。本実施形態では、磁着部３３は、図２（ａ）に示すように、左右の各リム部３１の開口部３０より外側に形成されている。このように、磁着部３３に用いられる磁石又は磁性体材料がサングラスレンズ３の後面に露出していると、サングラスレンズ３の後面をフレーム２の前面に強固に磁着させることが可能となる。なお、サングラスレンズ３の後面をフレーム２の前面と強固に磁着させることができる限りにおいて、磁着部３３に用いられる磁石又は磁性体材料をサングラスレンズ３の後面に露出させなくてもよい。磁石又は磁性体材料をサングラスレンズ３の後面に露出させなくても、磁着を強固に行うことができる場合として、例えば、サングラスレンズ３とフレーム２との磁着を強力な磁石を用いて行う場合などが挙げられる。このような場合は、磁着部３３に用いられる磁石又は磁性体材料の後面側を装飾部材などで覆って、サングラスレンズ３の後面のデザイン性を向上させてもよい。
【００２２】
また、サングラスレンズの前面に磁石又は磁性体材料が露出すると、サングラスレンズ３の前面のデザイン性が低下する恐れがある。これを回避する場合は、サングラスレンズ３に穿孔された孔に磁石又は磁性体材料を嵌め込むことに代えて、サングラスレンズ３の後面に磁石又は磁性体材料を接着剤等で接着させることによって磁着部３３を形成してもよい。磁石又は磁性体材料をサングラスレンズ３の後面に接着させて形成する場合は、サングラスレンズ３に孔を穿孔する必要が無いため、磁着部３３を比較的容易に形成することができる。なお、磁着部３３が形成される位置及び数は、特に限定されるものでなく、使用者の視界の確保やデザイン性などを考慮して決定することができる。
【００２３】
一方、係合部３４は、本実施形態においては、図２（ａ）に示すように、ブリッジ部３２の下部から上方向に切り込まれた切欠きによって構成されている。係合部３４が形成される位置及び数は、特に限定されるものでなく、磁着部２３と同様に、使用者の視界の確保やデザイン性などを考慮して決定することができる。
【００２４】
図３（ａ）は、度付きレンズ４の正面図であり、図３（ｂ）は、図３（ａ）のＢ―Ｂ断面図である。度付きレンズ４は、図３（ａ）に示すように、外周縁４０ａに外周縁４０ａに沿って形成された凹部４０ｂが設けられている。この凹部４０ｂは、前述した開口部３０の内周縁３０ａに設けられた凸部３０ｂと嵌合可能な形状に形成されている。なお、凹部４０ｂは、外周縁４０ｂの全周に設けられる必要は無く、少なくとも、凸部３０ｂと対応する位置に設けられていればよい。例えば、本実施形態のように、凸部３０ｂが開口部３０の内周縁３０ａの上下左右の４箇所に設けられている場合は、凹部４０ｂは、少なくとも外周縁４０ａの上下左右に設けられていればよい。なお、度付きレンズ４０の種類は、特に限定されるものでなく、度付きのサングラスレンズであっても、通常の透明な度付きのレンズであってもよい。また、左右の各リム部３１の開口部３０に嵌着させる度付きレンズ４は、度や色等が同じである必要はなく、例えば、左右の開口部３０に嵌着される度付きレンズ４の組み合わせは、ＴＰＯや使用者の好みに応じたものとすることができる。
【００２５】
図４は、サングラスレンズ３がフレーム２から取り外された状態の度付きサングラス１の正面図である。フレーム２は、外枠２１と、連結部材２２と、装着部とを備えている。外枠２１は、サングラスレンズ３の外周縁と対応した形状となっており、図１（ｂ）に示すように、サングラスレンズ３に対応した曲率をもって湾曲している。この曲率は、特に限定されるものでないが、本実施形態では、曲率半径が８０〜１５０ｍｍの曲率を採用している。曲率半径が８０〜１５０ｍｍの曲率は、スポーツ用サングラス等に使用されている６カーブレンズや、８カーブレンズと呼ばれる曲率の大きいレンズを装着するフレームに採用されている大きさであり、通常のサングラスや通常の眼鏡のフレームに採用されている曲率（曲率半径：２５０〜４５０ｍｍ）に比べて大きい曲率である。
【００２６】
連結部材２２は、外枠２１の左右方向中央部の上下を連結している。装着部は、サングラスレンズ３を装着するための構成となっており、本実施形態では、サングラスレンズ３と磁着する磁石２３と、サングラスレンズ３と係合する係止部２４とで構成されている。磁石２３は、外枠２１に固定され、サングラスレンズ３の磁着部３３と対応した位置に支持されている。本実施形態では、磁着部３３がサングラスレンズの左右の各リム部３１の開口部３０より外側（サングラスレンズ３の左右両端）に形成されているので、磁石２３は、外枠２１の内側の左右両端の位置に支持されている。このように、磁着部３３と対応した位置に磁石２３が支持されていることで、サングラスレンズ３と外枠２１とを磁着させることができ、この磁着によってサングラスレンズ３を外枠２１に密着させた状態でフレーム２に装着せることができる。従って、度付きサングラス１全体が優れたデザインを保つことが可能となる。なお、磁石２３は、磁着部３３に磁石が用いられる場合は、磁着部３３と互いに引き付け合う方向に磁極の向きが設定されることになる。また、磁着部３３に磁石が用いられる場合は、磁石２３に代えて磁性体材料を用いることも可能である。
【００２７】
一方、係止部２４は、図５に示すように、係合部３４を構成する切欠きと係合可能な側面視略Ｌ字状の部材によって構成されている。本実施形態では、この略Ｌ字状の部材は、外枠２１の前方へ突出するように、外枠２１の左右方向中央部の下部に取り付けられている。なお、係止部２４の構成は、係合部３４と係合することができる構成である限りにおいて、特に限定されるものではない。
【００２８】
図４に示すように、フレーム２の外枠２１の左右両端には、ヨロイ５が形成されている。本実施形態においては、ヨロイ５は、フレーム２と一体物として形成されている。この左右の各ヨロイ５は、丁番構造６（図１（ｂ）参照）を介してテンプル７と連結されている。さらに、外枠２１の左右方向中央部よりやや外側の下部には、左右一対のパッド８が取り付けられている。
【００２９】
以上の構成を有する度付きサングラス１において、度付きレンズ４のサングラスレンズ３の開口部３０への嵌着、及びサングラスレンズ３のフレーム２への装着について説明する。まず、度付きレンズ４のサングラスレンズ３の開口部３０への嵌着について説明する。度付きレンズ４のサングラスレンズ３の開口部３０への嵌着は、度付きレンズ４を開口部３０に押し込むことによって行うことができる。即ち、上記したように、サングラスレンズ３が可撓性を備えているので、度付きレンズ４を開口部３０に押し込むと、開口部３０が度付きレンズ４の外周縁４０ａによって押し広げられる。そして、度付きレンズ４の凹部４０ｂが凸部３０ｂの設けられた位置まで押し込まれると、開口部３０が元の大きさに戻ろうとして、図６に示すように、凸部３０ｂと凹部４０ｂとが嵌合し、この嵌合によって開口部３０と度付きレンズ４とが嵌着する。また、開口部３０から度付きレンズ４を取り外す場合は、サングラスレンズ３の前方又は後方に度付きレンズ４を押し出せばよい。サングラスレンズ３が可撓性を備えているので、度付きレンズ４を押し出すと、度付きレンズ４の外周部４０ａによって開口部３０が押し広げられ、凸部３０ｂと凹部４０ｂとの嵌合が解除されることにより、開口部３０から度付きレンズ４の取り外しが行われる。
【００３０】
次に、サングラスレンズ３のフレーム２への装着について説明する。サングラスレンズ３のフレーム２への装着は、サングラスレンズ３の後面下部をフレーム２の外枠２１の前面上部に当接させ、外枠２１に対してサングラスレンズ３を下方にずらして、外枠２１とサングラスレンズ３の外周縁とを重ね合わせる。上記したように、磁石２３が磁着部３３と対応する位置にあるため、サングラスレンズ３の外周縁とフレーム２とが重なり合うと、磁石２３と磁着部３３が接し、磁石２３と磁着部３３とが磁着する。また、サングラスレンズ３の外周縁を下方にずらして外枠２１に重ね合わせることで、係止部２４を構成する略Ｌ字状の部材に係合部３４を構成する切欠きが上方から嵌り、これによりサングラスレンズ３が係止部２４によって下方から支持されることになる。下方からサングラスレンズ３が支持されることによって、サングラスレンズ３がずれ落ちることが防止される。
【００３１】
一方、フレーム２からサングラスレンズ３の取り外しは、上記した装着と逆の手順で行うことができる。即ち、フレーム２に対してサングラスレンズ３を上方にずらし、サングラスレンズ３を外枠２１の前面から離すことで行うことができる。
【００３２】
以上のように、度付きサングラス１は、サングラスレンズ３をフレーム２に対して着脱自在に装着することができるため、サングラスレンズ３を取り替えて、外観を変更することが可能である。従って、本実施形態の度付きサングラス１は、度付きレンズ４だけでなく、サングラスレンズ３もＴＰＯや使用者の好みに応じたものとすることが可能であるので、外観をさまざまな形態に変更することが可能である。また、サングラスレンズ３は、左右のリム部３１とブリッジ部３２とが一体として着脱自在であるので、フレーム２に対する着脱を容易に行うことができる。その上、上記のように、サングラスレンズ３の開口部３０に度付きレンズ４が嵌着される構成となっているために、サングラスレンズ３と度付きレンズ４とを重ね合わせる必要が無く、そのため、サングラスレンズと度付きレンズとを重ね合わせることでデザイン性が損なわれるという問題を回避することが可能である。さらに、このような重ね合わせの必要が無いので、従来のようにサングラスと度付き眼鏡を重ね合わせることによって眼鏡全体の重量が増加するという問題も回避することが可能である。
【００３３】
また、度付きレンズ４とサングラスレンズ３の開口部３０との嵌着は、凸部３０ｂと凹部４０ｂとの嵌合により行われる構成となっているため、度付きレンズ４を開口部３０に確実に嵌着させることができる。
【００３４】
さらに、本実施形態では、上記のように凸部３０ｂが開口部３０の内周縁３０ａに部分的に設けられているので、開口部３０の内周縁３０ａの一部分と度付きレンズ４の外周縁４０ａの一部分とが嵌合することになる。このように開口部３０の内周縁３０ａと度付きレンズ４の外周縁４０ａとの一部分のみが嵌合する構成とすると、これらの全体が嵌合する構成に比べて、局所的に高い応力が度付きレンズ４に発生し難く、そのため局所的に高い応力によって度付きレンズ４が欠けたり、割れたりすることを防ぐことができる。
【００３５】
また、度付きレンズ４は、サングラスレンズ３に嵌着したりサングラスレンズ３から取り外したりすることができる構成となっている。そのため、嵌着や取り外しの際に度付きレンズ４に力がかかり、度付きレンズ４が欠けたり、割れたりするおそれがあるので、凸部３０ｂを剛性が比較的低い部材で構成するようにしてもよい。例えば、図７に示すように、内周縁３０ａの凸部３０ｂを設ける位置に凹溝３０ｃを設け、凹溝３０ｃに内周縁３０ａから突き出るように、剛性の比較的低い材質で形成された突起部材３０ｄを嵌合させる。この突起部材３０ｄの内周縁３０ａから突き出た部分が凸部３０ｂを形成することになる。このように、突起部材３０ｄに剛性の比較的低い材質を使用することで、嵌着や取り外しの際に度付きレンズ４が欠けたり、割れたりすることを防ぐことができる。
【００３６】
また、図８（ａ）に示すように、度付きレンズ４に、開口部３０の内周縁３０ａ付近に受け止められる脱落防止部４１を形成してもよい。脱落防止部４１を形成すると、度付きレンズ４を開口部３０に嵌着させるために、開口部３０に押し込んでも、図８（ｂ）に示すように、脱落防止部４１が内周縁３０ａ付近に受け止められ、開口部３０に嵌まり込むことができないので、嵌着の際や、度付きサングラス１を使用している際に度付きレンズ４が開口部３０の反対側から抜け落ちることを防止することができる。
【００３７】
なお、上記では凸部３０ｂを開口部３０の内周縁３０ａに設け、度付きレンズ４の外周部４０ａに凹部４０ｂを設ける構成について説明したが、この構成に代えて、凹部４０ｂを開口部３０の内周縁３０ａに設け、凸部３０ｂを度付きレンズ４の外周部４０ａに設ける構成を採用することも可能である。
【００３８】
また、本実施形態では、サングラスレンズ３の開口部３０と度付きレンズ４が、凸部３０ｂと凹部４０ｂとの嵌合によって脱着自在である場合について説明した。サングラスレンズ３の開口部３０と度付きレンズ４との嵌着を確実にするために、前記の嵌合に代えて、或いは、前記嵌合と共に、サングラスレンズ３の開口部３０と度付きレンズ４とを接着剤で接着することで、サングラスレンズ３の開口部３０と度付きレンズ４との嵌着を行ってもよい。具体的には、例えば、開口部３０に度付きレンズ４を嵌め込んだ後に、開口部３０の内周縁３０ｂと度付きレンズ４の外周縁４０ｂとの隙間に接着剤を充填することで行う。なお、サングラスレンズ３の開口部３０と度付きレンズ４との嵌着を、接着剤での接着のみを用いて行う場合は、開口部３０の内周縁３０ａや度付きレンズ４の外周縁４０ａに凸部３０ｂや凹部４０ｂを設けることを要しない。なお、この嵌合に用いられる接着剤は、特に限定されるものでなく、例えば、無溶剤系接着剤、紫外線硬化樹脂等を用いることができる。
【００３９】
さらに、上記では、サングラスレンズ３のフレーム２への装着は、磁着と係合とで行っているが、サングラスレンズ３のフレーム２への装着は、これに限定されるものでなく、例えば、磁着及び係合のいずれか一方のみで行うことや、或いはビス留め等を用いて行うことも可能である。
【００４０】
（実施形態２）
図９は、本実施形態に係る度付きサングラス１Ａの正面図であり、度付きレンズ４Ａが装着されたサングラスレンズ３Ａがフレーム２Ａに取り付けられた状態を示す。本実施形態に係る度付きサングラス１Ａも、実施形態１の度付きサングラス１と同様に、左右一対のテンプル７Ａに連結されたフレーム２Ａと、フレーム２Ａに対して着脱自在に取り付けられ、内側に開口部３０Ａが形成された可撓性のサングラスレンズ３Ａと、サングラスレンズ３Ａの開口部３０Ａに嵌着された度付きレンズ４Ａとを備えている。
【００４１】
本実施形態のサングラスレンズ３Ａは、内側にそれぞれ開口部３０Ａが形成された左右一対のリム部３１Ａを備え、左右一対のリム部３１Ａは、フレーム２Ａに対して互いに独立して着脱自在である構成となっている。左右一対の各リム部３１Ａは、フレーム２Ａに装着される装着部を備えている。図１０は、左右一対のリム部３１Ａの正面図である。図１０に示すように、装着部３５Ａは、リム部３１Ａの上部（例えば、開口部３０Ａの上側の部分）に穿孔された２つのビス孔３５ａから構成されている。各リム部３１Ａの前面上部は、２つのビス孔３５ａを覆う装飾部材３６（図９参照）を取り付けることが可能な構成となっている。さらに、左右一対の各リム部３１Ａは、実施形態１の左右一対の各リム部３１と同様の構成により、度付きレンズ４Ａを開口部３０Ａに嵌着することができるようになっている。
【００４２】
図１１は、フレーム２Ａの正面図である。図１１に示すように、フレーム２は、略直線状の外枠２１Ａで構成されている。外枠２１Ａは、サングラスレンズ３Ａの各リム部３１Ａが取り付けられるための装着部２５を左右に備えている。図１１に示すように、各装着部２５は、外枠２１Ａに穿孔された２つのビス孔２５ａから構成されている。さらに、外枠２１Ａの左右両端には、ヨロイ５Ａが形成され、左右方向中央部に左右一対のパッド８Ａが取り付けられている。左右の各ヨロイ５Ａは、実施形態１のヨロイ５と同様に、丁番構造（図示しない）を介してテンプル７Ａと連結されている。
【００４３】
以上の構成を有する度付きサングラス１において、サングラスレンズ３Ａのフレーム２Ａへの装着について説明する。サングラスレンズ３Ａの度付きレンズ２への装着は左右一対の各リム部３１Ａをフレーム２Ａに装着することで行う。例えば、左側のリム部３１Ａをフレーム２Ａに装着する場合は、左側のリム部３１Ａの後面を外枠２１Ａの左側の装着部２５の前面に当接させ、左側のリム部３１Ａのビス孔３５ａと外枠２１Ａの左側の装着部２５のビス孔２５ａとにビスを通し、左側のリム部３１Ａをフレーム２Ａに固定する。次に、装飾部材３６を左側のリム部３１Ａの前面上部に取り付けて、ビス孔３５ａを覆う。これと同様の方法で、右側のリム部３１Ａのフレーム２Ａへの装着を行うことができる。このように、左右一対の各リム部３１Ａのフレーム２Ａへの装着は、各リム部３１Ａ毎に独立して行うことが可能である。
【００４４】
一方、フレーム２Ａからサングラスレンズ３Ａの取り外しは、左右の各リム部３１Ａをフレーム２Ａから取り外すことで行う。取り外し手順は、上記した装着と逆の手順で行うことができる。例えば、左側のリム部３１Ａを取り外す場合は、装飾部材３６を左側のリム部３１Ａから取り外し、ビス孔２５ａ、３５ａからビスを外すことで行うことができる。
【００４５】
このように、本実施形態の度付きサングラス１Ａは、左右一対のリム部３１Ａが独立して着脱自在であるので、それぞれのリム部３１Ａを独立して取り替えることが可能である。従って、例えば、左右のリム部３１Ａの色や形状の組み合わせを自由に変更することができ、ＴＰＯや使用者の好みに応じて度付きサングラス１Ａの外観の細かい変更も可能となる。
【００４６】
なお、上記では、サングラスレンズ３Ａの各リム部３１Ａとフレーム２Ａとの装着はビス留めにて行う場合について説明したが、この装着はビス止めに限定されるものでなく、磁着や嵌合或いは磁着と嵌合との両方を用いて行ってもよい。ここでは、磁着と嵌合との両方を用いて装着を行う場合について説明する。
【００４７】
図１２は、左右一対の各リム部３１Ａの背面図である。各リム部３１Ａの装着部３５は、磁着部３７と嵌合部３８とから構成されている。磁着部３７は、図１２に示すように、リム部３１Ａの後面の上部に固定された磁着部材によって構成されている。磁着部材は、磁石や磁性体材料によって構成することができる。嵌合部３８は、この磁着部材の背面に形成されている。本実施形態では、図１２に示すように、嵌合部３８は、磁着部材の背面に２つ形成されている。さらに、各嵌合部３８は、磁着部材に形成された上下一対の突起で構成されている。
【００４８】
図１３（ａ）は、フレーム２Ａの外枠２１Ａの正面図であり、図１３（ｂ）は、図１３（ａ）の点線で囲んだ部分の拡大図である。外枠２１Ａの左右の各装着部２５は、図１３（ｂ）に示すように、外枠２１Ａに埋設され、外枠２１Ａの前面において外部に露出した磁石２７と、この前面に形成された嵌合部２８とで構成されている。本実施形態では、各装着部２５は、外枠２１Ａに交互に配列された３つの磁石２７と２つ嵌合部２８とによって構成されている。各嵌合部２８は、リム部３１Ａに形成された嵌合部３８を構成する上下一対の突起と嵌合する上下一対の凹溝にて構成されている。
【００４９】
以上に説明した構成のフレーム２Ａと各リム部３１Ａとの装着は、リム部３１Ａに形成された嵌合部３８を構成する突起を外枠２１Ａに形成された嵌合部２８を構成する凹溝に前方から差し込んで、嵌合部２８、３８同士を嵌合させると共に、磁着部３７と磁石２７とを磁着させることで行う。また、リム部３１Ａをフレーム２Ａから取り外すときは、リム部３１Ａをフレーム２Ａの前方に引っ張ることで、リム部３１Ａをフレーム２Ａから取り外すことで行うことができる。
【図面の簡単な説明】
【００５０】
【図１】図１（ａ）は、本考案の一実施形態に係る度付きサングラスの正面図であり、度付きレンズが嵌着されたサングラスレンズがフレームに装着された状態を示す。図１（ｂ）は、その平面図である。
【図２】図２（ａ）は、サングラスレンズの正面図である。図２（ｂ）は、図２（ａ）に示すＡ−Ａ断面の断面図である。
【図３】図３（ａ）は、度付きレンズの正面図である。図３（ｂ）は、図３（ａ）に示すＢ−Ｂ断面の断面図である。
【図４】図４は、サングラスレンズがフレームから取り外された状態の度付きサングラスの正面図である。
【図５】図５は、フレームの係止部付近の側面図である。
【図６】図６は、度付きレンズが嵌着された状態のサングラスレンズの縦断面図である。
【図７】図７は、突起部材で凸部が形成されたサングラスレンズの縦断面図である。
【図８】図８は、度付きレンズが嵌着された状態のサングラスレンズの縦断面図である。
【図９】図９は、本考案の他の実施形態に係る度付きサングラスの正面図であり、度付きレンズが嵌着されたサングラスレンズがフレームに装着された状態を示す。
【図１０】図１０は、サングラスレンズを構成する左右一対のリム部の正面図である。
【図１１】図１１は、フレームの正面図である。
【図１２】図１２は、左右一対のリム部の背面図である。
【図１３】図１３（ａ）は、外枠の正面図である。図１３（ｂ）は、外枠の部分拡大図である。
【符号の説明】
【００５１】
１、１Ａ  度付きサングラス
２、２Ａ  フレーム
２１、２１Ａ  外枠
２３  磁石
２４  係止部
３、３Ａ  サングラスレンズ
３０、３０Ａ  開口部
３０ａ  内周縁
３０ｂ  凸部
３１、３１Ａ  リム部
３２  ブリッジ部
３３  磁着部
３４  係合部
４、４Ａ  度付きレンズ
４０ａ  外周縁
４０ｂ  凹部
７、７Ａ  テンプル
【図１】
0003118062.tif 000003
【図２】
0003118062.tif 000004
【図３】
0003118062.tif 000005
【図４】
0003118062.tif 000006
【図５】
0003118062.tif 000007
【図６】
0003118062.tif 000008
【図７】
0003118062.tif 000009
【図８】
0003118062.tif 000010
【図９】
0003118062.tif 000011
【図１０】
0003118062.tif 000012
【図１１】
0003118062.tif 000013
【図１２】
0003118062.tif 000014
【図１３】
0003118062.tif 000015